(57)【要約】【課題】システムに電力供給を行う電源の電力がゼロであっても、その旨をユーザに通知することができる情報処理装置を提供する。【解決手段】本発明に係る情報処理装置は、第１の電源としてのメインバッテリと、第２の電源としてのサブバッテリと、バッテリ状態通知部３０とを少なくとも有する。第２の電源としてのサブバッテリは、内蔵ＲＴＣ（Real Time Clock）やバッテリ状態通知部３０の所要の構成部材に対してメインバッテリとは独立に電力供給する。バッテリ状態通知部３０は、電源制御部３１および警告部３４などを有する。メインバッテリの電力残量が所定の残量より少なく電源制御部３１が動作不能であると、警告部３４は、サブバッテリ２６から電力供給を受けて駆動され、発光部１８を発光させる。【選択図】  図３
2010009511.tif 000002
【特許請求の範囲】
【請求項１】
二次電池により構成され、情報処理装置全体に電力供給可能な第１の電源と、
前記情報処理装置の所要の部材に対して前記第１の電源とは独立に電力供給可能な第２の電源と、
前記第１の電源から電力供給を受けて駆動され、前記第１の電源の電力残量が所定の残量以上であると第１の信号を出力する電源制御部と、
発光部を有し、前記電源制御部が前記第１の信号を出力しないと前記第２の電源から電力供給を受けて駆動されて前記発光部を発光させる警告部と、
を備え、
前記第１の電源の電力残量が前記所定の残量より少ない状態には、前記第１の電源の電力残量がゼロである状態が含まれ、
前記第１の電源の電力残量が前記所定の残量より少ないと、システムは起動不能であるとともに前記電源制御部は動作不能であり、
前記第２の電源により駆動された前記警告部に制御されて前記発光部が発光することにより、前記第１の電源の電力残量が前記所定の残量より少なく前記システムが起動不能であることをユーザに通知可能であることを特徴とする情報処理装置。
【請求項２】
前記警告部は、
前記電源制御部が前記第１の信号を出力せず、かつ、前記ユーザにより前記システムを起動させるべく電源ボタンが押下されると、前記第２の電源から電力供給を受けて駆動されて前記発光部を発光させる、
請求項１記載の情報処理装置。
【請求項３】
前記警告部は、
前記電源ボタンが離された旨の信号を受けて前記発光部を消灯させることにより、前記電源ボタンが押下されている間のみ、前記第２の電源から電力供給を受けて駆動されて前記発光部を発光させる、
請求項２記載の情報処理装置。
【請求項４】
前記警告部は、遅延部をさらに有し、
前記遅延部は、
前記電源ボタンが離された旨の信号を所定の期間だけ遅延させ、
前記警告部は、
前記電源ボタンが押下されている間に加え、前記電源ボタンが離されてから前記遅延部により遅延された所定の期間も前記発光部を発光させる、
請求項２記載の情報処理装置。
【請求項５】
前記警告部は、遅延部をさらに有し、
前記遅延部は、
前記電源ボタンが押下された旨の信号を所定の期間だけ遅延させ、
前記警告部は、
前記電源ボタンが押下された旨の信号と前記遅延部により前記所定の期間だけ遅延された信号とにもとづいて、前記電源ボタンが押下開始されてから前記所定の期間のみ前記発光部を発光させる、
請求項２記載の情報処理装置。
【請求項６】
前記第１の電源の電力残量に応じた信号を前記電源制御部に与える残量検出部と、
前記第１の電源が商用電源と接続されて充電可能であるか否かを判定する判定部と、
をさらに有し、
前記電源制御部は、
前記第１の電源が商用電源と接続されて充電可能であり、かつ、前記第１の電源が満充電状態でないと、第２の信号を出力し、
前記発光部は、
前記第２の信号を受けて発光することにより、前記第１の電源が充電中であることを前記ユーザに通知可能に構成された、
請求項１ないし５のいずれか１項に記載の情報処理装置。
【発明の詳細な説明】
【技術分野】
【０００１】
本発明は、電池を電源として動作する情報処理装置に関する。
【背景技術】
【０００２】
近年、ノートブック型のパーソナルコンピュータや携帯電話機などの情報処理装置の電源として、リチウムイオン電池等の二次電池で構成されたバッテリをはじめとする電池が広く用いられている。電池を電源として利用する情報処理装置では、電池の電力残量不足による弊害を未然に防ぐために、電池の電力残量をユーザに通知する機能が必要とされる。
【０００３】
従来、この種の電池の電力残量をユーザに通知する技術として、特開２００２−３５９９３１号公報（特許文献１）に開示された電子機器がある。
【０００４】
この特許文献１に開示された電子機器は、ユーザに対して電池の電力残量に関わる警告の出力を行うための警告出力手段と、電子機器の電源スイッチのオン、オフに応じて電子機器の電源電力の投入、遮断を行うように制御するとともに警告出力手段を制御する制御手段と、を少なくとも有し、制御手段は、電子機器の電源スイッチがオンされると電源電力を投入する前に警告出力手段を駆動して電池の電力残量に応じた警告の出力を行わせるとともに、電池の電力残量が機器の正常な動作を保障するために不足な場合には電源電力の遮断状態を維持するようになっている。
【０００５】
この電子機器によれば、電池の電力残量が機器の正常な動作を保障するために不足な場合には、システムに対する電力供給を行わず、警告を出力することによりユーザに対して電池の電力残量が少ないことを通知することができる。この場合、ユーザは、電池を新しい電池に交換したり、電池が二次電池であれば充電をしたりなど、適切な対応をとることができる。
【特許文献１】特開２００２−３５９９３１号公報
【発明の開示】
【発明が解決しようとする課題】
【０００６】
ところが、従来の電池の電力残量をユーザに通知する技術は、電池の残量が完全にゼロになった場合など、警告出力手段が動作不能となるほどに電池の電力残量が少なくなってしまった場合を考慮していない。このため、従来の技術では、ユーザに対して警告を出力する警告出力手段やこの警告出力手段を制御する制御手段は、システムを駆動するための電池と同一の電池から電力供給を受けるようになっており、長期間の放置による自然放電などにより電池の電力残量が所定の残量より少なくなってしまうと、そもそも警告出力手段や制御手段に対する電力供給がなされない。
【０００７】
したがって、従来の技術は、電池の電力残量が不足していることが原因で電源スイッチを押してもシステムが起動されない場合に、ユーザに対してこの原因を通知することができず、ユーザにより機器の故障が原因であると誤認されてしまうおそれがあり、非常に不便である。
【０００８】
本発明は、上述した事情を考慮してなされたもので、システムに電力供給を行う電源の電力がゼロであっても、その旨をユーザに通知することができる情報処理装置を提供することを目的とする。
【課題を解決するための手段】
【０００９】
本発明に係る情報処理装置は、上述した課題を解決するために、二次電池により構成され、情報処理装置全体に電力供給可能な第１の電源と、前記情報処理装置の所要の部材に対して前記第１の電源とは独立に電力供給可能な第２の電源と、前記第１の電源から電力供給を受けて駆動され、前記第１の電源の電力残量が所定の残量以上であると第１の信号を出力する電源制御部と、発光部を有し、前記電源制御部が前記第１の信号を出力しないと前記第２の電源から電力供給を受けて駆動されて前記発光部を発光させる警告部と、を備え、前記第１の電源の電力残量が前記所定の残量より少ない状態には、前記第１の電源の電力残量がゼロである状態が含まれ、前記第１の電源の電力残量が前記所定の残量より少ないと、システムは起動不能であるとともに前記電源制御部は動作不能であり、前記第２の電源により駆動された前記警告部に制御されて前記発光部が発光することにより、前記第１の電源の電力残量が前記所定の残量より少なく前記システムが起動不能であることをユーザに通知可能であることを特徴とするものである。
【発明の効果】
【００１０】
本発明に係る情報処理装置は、システムに電力供給を行う電源の電力が完全にゼロであっても、その旨をユーザに通知することができる。
【発明を実施するための最良の形態】
【００１１】
本発明に係る情報処理装置の実施の形態について、添付図面を参照して説明する。
【００１２】
図１は、本発明に係る情報処理装置の一実施形態を示す概略的な全体構成図である。なお、以下の説明においては、ノートブック型のパーソナルコンピュータを情報処理装置の一例として示す。
【００１３】
情報処理装置１０は、コンピュータ本体１１およびディスプレイユニット１２を備える。
【００１４】
コンピュータ本体１１は、薄い箱型の筐体を有しており、この筐体の上面中央部には入力部としてのキーボード１３が設けられる。ディスプレイユニット１２には、表示部としてのＬＣＤ１４（Liquid Crystal Display）が組み込まれている。ディスプレイユニット１２は、コンピュータ本体１１に対して、開閉軸１５を中心として矢印Ｘの方向に開閉自在となるように、連結部（ヒンジ１６）を介して連結される。
【００１５】
コンピュータ本体１１の筐体の上面の奥側には、電源ボタン１７および発光部１８が設けられる。ユーザは、電源ボタン１７を押下する事により、情報処理装置１０に対してシステムを起動したい旨の指示を与える。発光部１８は、たとえば発光ダイオード（ＬＥＤ：Light Emitting Diode）などの一般的な発光部材により構成される。本実施形態では、発光部１８がＬＥＤにより構成される場合の例について説明する。
【００１６】
本実施形態では、この発光部１８が、情報処理装置１０のメインバッテリ２５の充電中に点灯するよう構成されるとともに、メインバッテリ２５の電力残量が所定の残量（たとえばシステム起動可能な残量）より少なく且つシステム遮断中に電源ボタン１７が押下されると、電源ボタン１７が押下されている間点灯するよう構成される場合について説明する。
【００１７】
図２は、図１に示すコンピュータ本体１１の内部構造を示す概略的なブロック図である。
【００１８】
コンピュータ本体１１の内部には、ＣＰＵ２１（Central Processing Unit）、ＲＡＭ２２（Random Access Memory）、ＲＯＭ２３（Read Only Memory）、ネットワーク接続部２４、第１の電源としてのメインバッテリ２５、第２の電源としてのサブバッテリ２６およびバッテリ状態通知部３０が設けられる。
【００１９】
ＣＰＵ２１は、ＲＯＭ２３内に記憶されたプログラムに従って、情報処理装置１０の処理動作を制御する。ＲＡＭ２２は、ＣＰＵ２１が実行するプログラムおよびデータを一時的に格納するワークエリアを提供する。ＲＯＭ２３は、情報処理装置１０の起動プログラムや、これらのプログラムを実行するために必要な各種データを記憶する。
【００２０】
なお、ＲＯＭ２３は、磁気的もしくは光学的記録媒体または半導体メモリなどの、ＣＰＵ２１により読み取り可能な記録媒体を含んだ構成を有し、ＲＯＭ２３内のプログラムおよびデータの一部または全部は電子ネットワークを介してダウンロードされるように構成してもよい。
【００２１】
ネットワーク接続部２４は、ネットワークの形態に応じた種々の情報通信用プロトコルを実装する。ネットワーク接続部２４は、この各種プロトコルに従って情報処理装置１０と他の電気機器とを接続する。この接続には、電子ネットワークを介した電気的な接続などを適用することができる。ここで電子ネットワークとは、電気通信技術を利用した情報通信網全般を意味し、ＬＡＮ（Local Area Network）やインターネット網のほか、電話通信回線網、光ファイバ通信ネットワーク、ケーブル通信ネットワークおよび衛星通信ネットワークなどを含む。
【００２２】
第１の電源としてのメインバッテリ２５は、二次電池により構成され、情報処理装置１０を構成する全ての部材に対して電力を供給する。また、メインバッテリ２５を構成する二次電池は、商用電源からＡＣアダプタを介して充電される。この二次電池としては、たとえばリチウムイオン二次電池などの非水系電解液の二次電池や、鉛二次電池や、ニッケルカドミウム二次電池などを用いることができる。なお、二次電池は、単一の二次電池のほか、複数の二次電池を互いに接続した組電池を含むものとする。
【００２３】
第２の電源としてのサブバッテリ２６は、たとえばボタン型電池などにより構成され、内蔵ＲＴＣ（Real Time Clock）やバッテリ状態通知部３０の所要の構成部材に対してメインバッテリ２５とは独立に電力供給する。本実施形態では、サブバッテリ２６が、メインバッテリ２５の残量が所定の残量（たとえばシステム起動可能な残量）より少ない場合に、少なくともバッテリ状態通知部３０の所要の構成部材に対してメインバッテリ２５にかわって電力供給を行う場合の例について説明する。
【００２４】
図３は、バッテリ状態通知部３０の一構成例を示す図である。
【００２５】
バッテリ状態通知部３０は、電源制御部３１、残量検出部３２、商用電源接続判定部３３および警告部３４を有する。
【００２６】
電源制御部３１は、マイコン（マイクロコンピュータ）などのプロセッサを有し、メインバッテリ２５（または商用電源）から電力供給を受けて駆動される。
【００２７】
残量検出部３２は、メインバッテリ２５の電力残量に応じた出力信号Ｓ０を出力する。また、商用電源接続判定部３３は、メインバッテリ２５を充電可能に商用電源が情報処理装置１０に接続されているか否かを判定する。
【００２８】
電源制御部３１は、残量検出部３２からメインバッテリ２５の電力残量に応じた出力信号Ｓ０を受け、メインバッテリ２５の電力残量が所定の残量以上である（または商用電源から電力供給を受ける）と第１の信号Ｓ１をＨＩＧＨで出力する。
【００２９】
なお、本実施形態において、メインバッテリ２５の電力残量が所定の残量以上であるとは、システムが起動可能であるとともに電源制御部３１が動作可能であることをいうものとする。
【００３０】
メインバッテリ２５の電力残量が所定の残量より少なくかつ商用電源が接続されていない場合（以下、バッテリ電力不足状態という）、電源制御部３１は動作不能であるため、第１の信号Ｓ１をＨＩＧＨで出力することができず、第１の信号Ｓ１はＬＯＷとなる。また、メインバッテリ２５の電力残量がさらに減少してゼロになった場合も、第１の信号Ｓ１はＬＯＷを保つ。
【００３１】
また、電源制御部３１は、商用電源接続判定部３３から商用電源が接続されている旨の情報を受け、かつ、残量検出部３２から受けた信号Ｓ０にもとづきメインバッテリ２５が満充電状態でないことがわかると、第２の信号Ｓ２をＨＩＧＨで出力する。なお、商用電源が接続されておりメインバッテリ２５が満充電状態でない（第２の信号Ｓ２がＨＩＧＨで出力される）場合、メインバッテリ２５は商用電源から電力供給を受けて充電される。
【００３２】
図３に示すように、警告部３４は、発光部１８、第１のＦＥＴ４１（Field Effect Transistor）、第２のＦＥＴ４２、第１の信号Ｓ１を反転するインバータ４３、電源ボタン１７が押され／離されると短絡され／開放される電源スイッチ４４およびプルアップ抵抗４５を少なくとも有する。
【００３３】
なお、図３において、Ｖｓｕｂｂａｔと記述された電位は、バッテリ電力不足状態（商用電源が接続されず、かつメインバッテリ２５の電力残量が所定の残量より少ない状態）ではサブバッテリ２６から与えられ、他の状態では接続された商用電源またはメインバッテリ２５から与えられる。
【００３４】
また、以下の説明では、第１のＦＥＴ４１および第２のＦＥＴ４２としてｎ型のＭＯＳ（Metal-Oxide-Semiconductor）ＦＥＴを用いる場合の一例について示す。
【００３５】
第２の信号がＨＩＧＨの場合、第２のＦＥＴ４２のゲートに対してＨＩＧＨが与えられ、発光部１８および第２のＦＥＴ４２により構成される回路に電流が流れて発光部１８が発光する（図３参照）。この結果、メインバッテリ２５が充電中である旨を発光部１８の発光を介してユーザに通知することができる。
【００３６】
続いて、バッテリ電力不足状態における情報処理装置１０の動作の一例について説明する。
【００３７】
バッテリ電力不足状態では、警告部３４の所要の部材に対してサブバッテリ２６から電力供給がなされる。また、バッテリ電力不足状態では、電源制御部３１は動作不能であることから第１の信号Ｓ１および第２の信号Ｓ２はＬＯＷとなる。
【００３８】
第２の信号Ｓ２はＬＯＷであるため、発光部１８および第２のＦＥＴ４２により構成される回路には電流が流れない。この場合、第２の信号Ｓ２によっては、発光部１８は発光しない。
【００３９】
一方、第１の信号Ｓ１もＬＯＷであるが、インバータ４３により反転されて第１のＦＥＴ４１のゲートに対してはＨＩＧＨが与えられる。
【００４０】
このため、ユーザにより電源ボタン１７が押下されて電源スイッチ４４が短絡されると、第１のＦＥＴ４１のソース電位が下がり、発光部１８、第１のＦＥＴ４１および電源スイッチ４４により構成される回路に電流が流れて発光部１８が発光する。また、ユーザにより電源ボタン１７が離されて電源スイッチ４４が開放されると、発光部１８には電流が流れなくなり消灯する。
【００４１】
本実施形態に係る情報処理装置１０は、ユーザがシステムを起動させようと電源ボタン１７を押下したときにメインバッテリ２５の電力残量が所定の残量（システム起動可能な残量）より少ないと、サブバッテリ２６を利用することにより、発光部１８を点灯させることができる。このため、メインバッテリ２５の電力残量不足でシステム起動ができない場合に、容易に「メインバッテリ２５の電力残量不足によりシステム起動不能」であることをユーザに通知することができる。したがって、この情報処理装置１０によれば、メインバッテリ２５の電力残量不足でシステム起動ができない場合に、情報処理装置１０の故障が原因であるとユーザにより誤認されることがなく、ユーザにとって非常に便利である。
【００４２】
次に、警告部３４の変形例について説明する。
【００４３】
図４は、警告部３４の第１変形例を示す警告部３４の部分構成図である。
【００４４】
第１変形例に示す警告部３４は、電源ボタン１７が押下されている間に加え、電源ボタン１７が離されてから所定の期間も発光部１８を発光させるよう構成される。
【００４５】
警告部３４には、発光部１８の点灯時間を調整するための遅延部４６が設けられる。遅延部４６は、たとえば、図４に示すように、抵抗４７、コンデンサ４８、ダイオード４９およびシュミット回路５０を有する。図４に示す遅延部４６を有することにより、警告部３４は、電源ボタン１７が押下されている間に加え、電源ボタン１７が離されてから所定の期間も発光部１８を発光させることができる。
【００４６】
図５は、電源スイッチ４４と警告部３４の各信号との関係を示す説明図である。なお、図５のｔ＝ｔ０は、バッテリ電力不足状態であり、かつシステムが遮断中である時点を示す。
【００４７】
ｔ＝ｔ１において、ユーザにより電源ボタン１７が押下されて電源スイッチ４４が短絡されると、シュミット回路５０に対する入力信号Ｓ１１の電位はプルアップ抵抗４５の下端電位からアース電位へ立ち下がるため、ダイオード４９を通りＲＣ積分回路で遅延されることなくシュミット回路５０に入力される。このとき、信号Ｓ１１は直ちにシュミット回路５０の下側閾値電位Ｖ１を下回り、シュミット回路５０の出力信号Ｓ１２も同様に立ち下がる。このため、第１のＦＥＴ４１のソース電位も立ち下がり、発光部１８は発光を開始する。
【００４８】
次に、ｔ＝ｔ２において、ユーザにより電源ボタン１７が離されて電源スイッチ４４が開放されると、信号Ｓ１１の電位は立ち上がる。この信号Ｓ１１の立ち上がりは、ＲＣ積分回路で所定の時定数で遅延される。
【００４９】
次に、ｔ＝ｔ３において、信号Ｓ１１の電位がシュミット回路５０の上側閾値電位Ｖ２を越えると、シュミット回路５０の出力信号Ｓ１２は立ち上がる。このため、第１のＦＥＴ４１のソース電位が立ち上がり、発光部１８は消灯する。
【００５０】
図４に示した遅延部４６を有する警告部３４によれば、図５に示すように、電源ボタン１７が押下されている間（ｔ＝ｔ１からｔ＝ｔ２まで）に加え、電源ボタン１７が離されてから所定の期間（ｔ＝ｔ２からｔ＝ｔ３まで）も発光部１８を発光させることができる。この所定の期間は、遅延部４６を構成する抵抗４７、コンデンサ４８およびシュミット回路５０の特性値によって任意に調整することができる（たとえば１秒間など）。このため、ユーザは、電源ボタン１７を短い間しか押下せずにすぐに離してしまった場合でも、自らが電源ボタン１７を押下したことにより発光部１８が発光したことを容易に確認することができる。
【００５１】
図６は、警告部３４の第２変形例を示す警告部３４の部分構成図である。
【００５２】
第２変形例に示す警告部３４は、電源ボタン１７が押下開始されてから所定の期間のみ発光部１８を発光させるよう構成される。
【００５３】
第２の変形例でも、警告部３４には、発光部１８の点灯時間を調整するための遅延部４６が設けられる。この遅延部４６は、たとえば、図６に示すように、抵抗４７、コンデンサ４８、ダイオード４９、反転シュミット回路５１および論理和回路５２を有する。図６に示す遅延部４６を有することにより、警告部３４は、電源ボタン１７が押下開始されてから所定の期間のみ発光部１８を発光させることができる。なお、第２の変形例におけるダイオード４９の接続向きは、第１の変形例における向きと逆であることに注意する。
【００５４】
図７は、電源スイッチ４４と警告部３４の各信号との関係を示す説明図である。なお、図７のｔ＝ｔ０は、バッテリ電力不足状態であり、かつシステムが遮断中である時点を示す。
【００５５】
ｔ＝ｔ１１において、ユーザにより電源ボタン１７が押下されて電源スイッチ４４が短絡されると、論理和回路５２に対する第１の入力信号Ｓ２１の電位はプルアップ抵抗４５の下端電位からアース電位へ立ち下がる。
【００５６】
一方、このとき、反転シュミット回路５１に対する入力信号Ｓ２２の立ち下がりは、ＲＣ積分回路で所定の時定数で遅延される。信号Ｓ２２の電位が反転シュミット回路５１の下側閾値電位Ｖ１１を上回っている間は、反転シュミット回路５１の出力信号（論理和回路５２に対する第２の入力信号）Ｓ２３の電位は下がったままである。
【００５７】
このため、論理和回路５２の出力信号Ｓ２４は、信号Ｓ２１および信号Ｓ２３にもとづいて立ち下がる。したがって、第１のＦＥＴ４１のソース電位も立ち下がり、発光部１８は発光を開始する。
【００５８】
次に、ｔ＝ｔ１２において、信号Ｓ２２の電位が反転シュミット回路５１の下側閾値電位Ｖ１１を下回ると、シュミット回路５０の出力信号Ｓ２３は立ち上がる。このため、論理和回路５２の出力信号Ｓ２４は立ち上がる。したがって、第１のＦＥＴ４１のソース電位が立ち上がり、発光部１８は消灯する。
【００５９】
図６に示した遅延部４６を有する警告部３４によれば、図６に示すように、電源ボタン１７が押下開始されてから所定の期間（ｔ＝ｔ１１からｔ＝ｔ１２まで）のみ発光部１８を発光させることができる。図４に示した警告部３４の第１変形例と同様、この所定の期間は、遅延部４６を構成する抵抗４７、コンデンサ４８および反転シュミット回路５１の特性値によって任意に調整することができる（たとえば１秒間など）。このため、ユーザによって電源ボタン１７を長い時間押下され続けた場合でも、押下開始から所定の期間経過後に自動的に発光部１８を消灯することができる。したがって、ユーザによって電源ボタン１７を長い時間押下され続けた場合、ユーザに発光部１８の発光を確実に視認させることができるとともに、サブバッテリ２６の電力消費を抑制することができる。
【００６０】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【００６１】
たとえば、上記実施形態ではバッテリ電力不足状態であることを示すための発光部について、バッテリ充電中を示すための発光部１８と共用する場合について説明したが、充電中を示す発光部１８とは別に独立した発光部を設けてもよい。このとき、バッテリ充電中とバッテリ電力不足状態とで発光色を異なる色にすれば、よりユーザにわかりやすくなり利便性を向上させることができる。
【００６２】
また、上記実施形態では、「メインバッテリ２５の電力残量不足によりシステム起動不能」であることをユーザに通知するために発光部１８による発光を用いる場合の例について示したが、この通知（警告）は発光にかぎられず、たとえばビープ音や案内音声などの音声による警告であってもよい。
【図面の簡単な説明】
【００６３】
【図１】本発明に係る情報処理装置の一実施形態を示す概略的な全体構成図。
【図２】第１実施形態に係るコンピュータ本体の内部構造を示す概略的なブロック図。
【図３】バッテリ状態通知部の一構成例を示す図。
【図４】警告部の第１変形例を示す警告部の部分構成図。
【図５】電源スイッチと第１変形例に係る警告部の各信号との関係を示す説明図。
【図６】警告部の第２変形例を示す警告部の部分構成図。
【図７】電源スイッチと第２変形例に係る警告部の各信号との関係を示す説明図。
【符号の説明】
【００６４】
１０  情報処理装置
１１  コンピュータ本体
１２  ディスプレイユニット
１３  キーボード
１４  ＬＣＤ
１５  開閉軸
１６  ヒンジ
１７  電源ボタン
１８  発光部
２１  ＣＰＵ
２２  ＲＡＭ
２３  ＲＯＭ
２４  ネットワーク接続部
２５  メインバッテリ（第１の電源）
２６  サブバッテリ（第２の電源）
３０  バッテリ状態通知部
３１  電源制御部
３２  残量検出部
３３  商用電源接続判定部
３４  警告部
４１  第１のＦＥＴ
４２  第２のＦＥＴ
４３  インバータ
４４  電源スイッチ
４５  プルアップ抵抗
４６  遅延部
４７  抵抗
４８  コンデンサ
４９  ダイオード
５０  シュミット回路
５１  反転シュミット回路
５２  論理和回路
【図１】
2010009511.tif 000003
【図２】
2010009511.tif 000004
【図３】
2010009511.tif 000005
【図４】
2010009511.tif 000006
【図５】
2010009511.tif 000007
【図６】
2010009511.tif 000008
【図７】
2010009511.tif 000009